(57)【要約】      （修正有）【課題】記録媒体に記録されているプログラム情報を異なる記録媒体に記録することが可能であるとともに、記録操作の操作性を向上させることが可能な記録再生装置を提供する。【解決手段】このビデオレコーダ（記録再生装置）１は、番組コンテンツ（プログラム情報）が録画された磁気ディスク（記録媒体）２ａを有するＨＤＤ２と、ＤＶＤメディア４が装着されるＤＶＤドライブ３と、各種制御を行う制御部２１とを備えている。また、制御部２１は、番組コンテンツにタイトルを付与する機能と、タイトルを付与した番組コンテンツに対応するタイトルデータをタイトルデータ記録領域２ｂに記録する機能と、タイトルデータに基づいて、番組コンテンツを検索する機能と、検索された番組コンテンツを選択する機能と、選択した番組コンテンツをＤＶＤメディア（記録媒体）４にダビング（記録）する機能とを有している。【選択図】図３
2007323742.tif 000002
【特許請求の範囲】
【請求項１】
映像情報および音声情報の少なくとも一方からなるプログラム情報が記録された第１記録媒体を含む第１記録部と、第２記録媒体が着脱可能に装着される第２記録部とを備えた記録再生装置において、
前記第１記録媒体に記録された前記プログラム情報にタイトルを付与するタイトル付与手段と、
前記タイトル付与手段によって前記プログラム情報にタイトルが付与された際に、前記タイトルが付与された前記プログラム情報に対応する第１タイトル情報を作成するとともに、作成された前記第１タイトル情報を前記第１記録媒体、前記第２記録媒体、または、その他の記録媒体のいずれかの所定の領域に記録する第１タイトル情報記録手段と、
前記第１タイトル情報が記録されている領域とは異なる領域に、文字情報からなる第２タイトル情報を記録する第２タイトル情報記録手段と、
所定の前記プログラム情報を検索するために検索条件を受け付ける検索条件受付手段と、
前記第１タイトル情報に基づいて、前記検索条件受付手段によって受け付けられた検索条件を満たす前記プログラム情報を特定するプログラム情報特定手段と、
前記プログラム情報特定手段によって特定された前記プログラム情報を選択するプログラム情報選択手段と、
前記プログラム情報選択手段によって選択された前記プログラム情報を記録媒体に記録するプログラム情報記録手段とをさらに備え、
前記タイトル付与手段は、前記プログラム情報に前記タイトルを付与する際に、前記第２タイトル情報記録手段によって記録された前記第２タイトル情報を用いて前記タイトルの付与を支援するタイトル付与支援手段を含むとともに、前記プログラム情報に対して複数の前記タイトルを付与することが可能に構成されており、
前記第１タイトル情報記録手段は、前記プログラム情報に付与された前記複数のタイトルにそれぞれ対応する複数の前記第１タイトル情報を作成するとともに、作成された前記複数の第１タイトル情報を、前記第１記録媒体、前記第２記録媒体、または、前記その他の記録媒体のいずれかの所定の領域に記録するように構成されており、
前記第２タイトル情報記録手段は、前記プログラム情報に付与された前記複数のタイトルにそれぞれ対応する複数の前記第２タイトル情報を作成するとともに、作成された前記複数の第２タイトル情報を、前記第１タイトル情報が記録される領域とは異なる領域に記録するように構成されていることを特徴とする、記録再生装置。
【請求項２】
映像情報および音声情報の少なくとも一方からなるプログラム情報が記録された第１記録媒体を含む第１記録部と、
第２記録媒体が着脱可能に装着される第２記録部と、
前記プログラム情報にタイトルを付与するタイトル付与手段と、
前記タイトル付与手段によって前記プログラム情報にタイトルが付与された際に、前記タイトルが付与された前記プログラム情報に対応する第１タイトル情報を作成するとともに、作成された前記第１タイトル情報を前記第１記録媒体、前記第２記録媒体、または、その他の記録媒体のいずれかの所定の領域に記録する第１タイトル情報記録手段と、
所定の前記プログラム情報を検索するために検索条件を受け付ける検索条件受付手段と、
前記第１タイトル情報に基づいて、前記検索条件受付手段によって受け付けられた検索条件を満たす前記プログラム情報を特定するプログラム情報特定手段と、
前記プログラム情報特定手段によって特定された前記プログラム情報を選択するプログラム情報選択手段と、
前記プログラム情報選択手段によって選択された前記プログラム情報を記録媒体に記録するプログラム情報記録手段とを備えることを特徴とする、記録再生装置。
【請求項３】
前記第１タイトル情報が記録される領域とは異なる領域に、文字情報からなる第２タイトル情報を記録する第２タイトル情報記録手段をさらに備え、
前記タイトル付与手段は、前記プログラム情報に前記タイトルを付与する際に、前記第２タイトル情報記録手段によって記録された前記第２タイトル情報を用いて前記タイトルの付与を支援するタイトル付与支援手段を含むことを特徴とする、請求項２に記載の記録再生装置。
【請求項４】
前記タイトル付与手段は、前記プログラム情報に対して複数の前記タイトルを付与することが可能に構成されており、
前記第１タイトル情報記録手段は、前記プログラム情報に付与された前記複数のタイトルにそれぞれ対応する複数の前記第１タイトル情報を作成するとともに、作成された前記複数の第１タイトル情報を、前記第１記録媒体、前記第２記録媒体、または、前記その他の記録媒体のいずれかの所定の領域に記録するように構成されていることを特徴とする、請求項２または３に記載の記録再生装置。
【請求項５】
前記第２タイトル情報記録手段は、前記プログラム情報に付与された前記複数のタイトルにそれぞれ対応する複数の前記第２タイトル情報を作成するとともに、作成された前記複数の第２タイトル情報を、前記第１タイトル情報が記録される領域とは異なる領域に記録するように構成されていることを特徴とする、請求項４に記載の記録再生装置。
【発明の詳細な説明】
【技術分野】
【０００１】
この発明は、記録再生装置に関し、特に、ダビング機能を備えた記録再生装置に関する。
【背景技術】
【０００２】
従来、記録媒体に記録された複数のプログラム情報から所望のプログラム情報を検索することが可能な記録再生装置が知られている（たとえば、特許文献１参照）。
【０００３】
上記特許文献１には、ＨＤ（Ｈａｒｄ  Ｄｉｓｋ）記録再生装置（記録媒体）とディスク再生装置とを備えるとともに、ＨＤ記録再生装置に記録された複数の音楽データ（プログラム情報）から所望の音楽データを検索することが可能なダビング装置（記録再生装置）が記載されている。このダビング装置のＨＤ記録再生装置には、アルバム名が付与された複数のアルバムが記録されており、そのアルバム内に複数の音楽データが記録されている。そして、所望のアルバムが検索された場合に、そのアルバム内に記録されている音楽データのハイライト部分が順番に再生される。
【０００４】
また、従来、テレビ番組などの動画コンテンツを録画することが可能であるとともに、録画された動画コンテンツを他の記録媒体にダビング（記録）することが可能なビデオレコーダ（記録再生装置）が一般的に知られている。このような従来一般的に知られているビデオレコーダは、大容量のＨＤＤ（Ｈａｒｄ  Ｄｉｓｋ  Ｄｅｖｉｃｅ）装置を備えており、このＨＤＤ装置に多数の動画コンテンツを録画することが可能に構成されている。また、録画された動画コンテンツは、録画された日付およびチャンネル番号などがタイトルとして付与されており、付与されたタイトルは、動画コンテンツのサムネイル画像とともに表示装置の画面上に表示される。また、動画コンテンツのサムネイル画像およびタイトルは、日付順またはチャンネル番号順にソート（並び替え）可能であり、動画コンテンツのサムネイル画像、および、タイトルとして付与された録画の日時等を手がかりとして、所望の動画コンテンツを検索および選択することが可能に構成されている。
【０００５】
【特許文献１】特開２００４−３３５０９８号公報
【発明の開示】
【発明が解決しようとする課題】
【０００６】
しかしながら、従来一般的に知られているＨＤＤレコーダでは、動画コンテンツのサムネイル画像、および、タイトルとして付与された録画の日時等がソートされて順番に表示されるだけなので、ＨＤＤ装置に多数の動画コンテンツが録画されている場合には、所望の動画コンテンツを検索および選択することが困難になるという不都合がある。すなわち、サムネイル画像は、動画コンテンツの内容の一部を表示したに過ぎず、また、動画コンテンツのタイトルとして付与された録画日やチャンネル番号などは、動画コンテンツの内容を表示するものではないので、このような表示だけでは動画コンテンツの内容を十分に把握するのは困難であり、ＨＤＤ装置に録画されている多数の動画コンテンツから所望の動画コンテンツを検索および選択する時間が長くなるという不都合がある。このため、ＨＤＤ装置に録画された動画コンテンツをＤＶＤ（Ｄｉｇｉｔａ  Ｖｅｒｓａｔｉｌｅ  Ｄｉｓｋ）などの他の記録媒体にダビング（記録）する場合に、動画コンテンツのダビング操作が煩雑になるので、ダビング操作の操作性が低下するという問題点がある。
【０００７】
また、上記特許文献１に記載されたダビング装置では、所望の音楽データの検索時に音楽データのハイライト部分が再生されるので、音楽データを検索する時間が長くなるという不都合がある。このため、音楽データをディスク記録媒体にダビング（記録）する場合に、音楽データのダビング操作が煩雑になるので、上記と同様に、ダビング操作の操作性が低下するという問題点がある。
【０００８】
この発明は、上記のような課題を解決するためになされたものであり、この発明の１つの目的は、記録媒体に記録されているプログラム情報を異なる記録媒体に記録することが可能であるとともに、記録操作の操作性を向上させることが可能な記録再生装置を提供することである。
【課題を解決するための手段】
【０００９】
この発明の第１の局面における記録再生装置は、映像情報および音声情報の少なくとも一方からなるプログラム情報が記録された第１記録媒体を含む第１記録部と、第２記録媒体が着脱可能に装着される第２記録部とを備えた記録再生装置において、第１記録媒体に記録されたプログラム情報にタイトルを付与するタイトル付与手段と、タイトル付与手段によってプログラム情報にタイトルが付与された際に、タイトルが付与されたプログラム情報に対応する第１タイトル情報を作成するとともに、作成された第１タイトル情報を第１記録媒体、第２記録媒体、または、その他の記録媒体のいずれかの所定の領域に記録する第１タイトル情報記録手段と、第１タイトル情報が記録されている領域とは異なる領域に、文字情報からなる第２タイトル情報を記録する第２タイトル情報記録手段と、所定のプログラム情報を検索するために検索条件を受け付ける検索条件受付手段と、第１タイトル情報に基づいて、検索条件受付手段によって受け付けられた検索条件を満たすプログラム情報を特定するプログラム情報特定手段と、プログラム情報特定手段によって特定されたプログラム情報を選択するプログラム情報選択手段と、プログラム情報選択手段によって選択されたプログラム情報を記録媒体に記録するプログラム情報記録手段とをさらに備え、タイトル付与手段は、プログラム情報にタイトルを付与する際に、第２タイトル情報記録手段によって記録された第２タイトル情報を用いてタイトルの付与を支援するタイトル付与支援手段を含むとともに、プログラム情報に対して複数のタイトルを付与することが可能に構成されており、第１タイトル情報記録手段は、プログラム情報に付与された複数のタイトルにそれぞれ対応する複数の第１タイトル情報を作成するとともに、作成された複数の第１タイトル情報を、第１記録媒体、第２記録媒体、または、その他の記録媒体のいずれかの所定の領域に記録するように構成されており、第２タイトル情報記録手段は、プログラム情報に付与された複数のタイトルにそれぞれ対応する複数の第２タイトル情報を作成するとともに、作成された複数の第２タイトル情報を、第１タイトル情報が記録される領域とは異なる領域に記録するように構成されている。
【００１０】
この発明の第２の局面における記録再生装置は、映像情報および音声情報の少なくとも一方からなるプログラム情報が記録された第１記録媒体を含む第１記録部と、第２記録媒体が着脱可能に装着される第２記録部と、プログラム情報にタイトルを付与するタイトル付与手段と、タイトル付与手段によってプログラム情報にタイトルが付与された際に、タイトルが付与されたプログラム情報に対応する第１タイトル情報を作成するとともに、作成された第１タイトル情報を第１記録媒体、第２記録媒体、または、その他の記録媒体のいずれかの所定の領域に記録する第１タイトル情報記録手段と、所定のプログラム情報を検索するために検索条件を受け付ける検索条件受付手段と、第１タイトル情報に基づいて、検索条件受付手段によって受け付けられた検索条件を満たすプログラム情報を特定するプログラム情報特定手段と、プログラム情報特定手段によって特定されたプログラム情報を選択するプログラム情報選択手段と、プログラム情報選択手段によって選択されたプログラム情報を記録媒体に記録するプログラム情報記録手段とを備える。
【００１１】
この第２の局面による記録再生装置では、上記のように、プログラム情報にタイトルを付与するタイトル付与手段と、タイトル付与手段によってプログラム情報にタイトルが付与された際に、タイトルが付与されたプログラム情報に対応する第１タイトル情報を作成するとともに、作成された第１タイトル情報を第１記録媒体、第２記録媒体、または、その他の記録媒体のいずれかの所定の領域に記録する第１タイトル情報記録手段と、所定のプログラム情報を検索するために検索条件を受け付ける検索条件受付手段と、第１タイトル情報に基づいて、検索条件受付手段によって受け付けられた検索条件を満たすプログラム情報を特定するプログラム情報特定手段とを備えることによって、タイトルが付与されていないプログラム情報に対して、検索を可能にするためのタイトルを付与することができるとともに、第１タイトル情報に基づいて、検索条件受付手段およびプログラム情報特定手段により、検索条件を満たすプログラム情報を検索することができるので、第１記録媒体に多数のプログラム情報が記録されている場合でも、容易に、所定のプログラム情報を検索することができる。その結果、プログラム情報をソートするとともに、ソートされて表示された中から所定のプログラム情報を検索（選択）する場合に比べて、プログラム情報を検索する時間を短縮することができる。また、プログラム情報特定手段によって特定されたプログラム情報を選択するプログラム情報選択手段と、プログラム情報選択手段によって選択されたプログラム情報を記録媒体に記録するプログラム情報記録手段とを備えることによって、第１記録媒体に記録されているプログラム情報を第２記録媒体に記録（ダビング）することができるとともに、記録（ダビング）時に、検索されたプログラム情報を選択することによって、プログラム情報の選択時間を短縮することができるので、第２記録媒体へのプログラム情報の記録（ダビング）操作が煩雑になるのを抑制することができる。その結果、記録（ダビング）操作の操作性を向上させることができる。
【００１２】
上記第２の局面による記録再生装置において、好ましくは、第１タイトル情報が記録される領域とは異なる領域に、文字情報からなる第２タイトル情報を記録する第２タイトル情報記録手段をさらに備え、タイトル付与手段は、プログラム情報にタイトルを付与する際に、第２タイトル情報記録手段によって記録された第２タイトル情報を用いてタイトルの付与を支援するタイトル付与支援手段を含む。このように構成すれば、プログラム情報に新たにタイトルを付与する際に、文字情報からなる第２タイトル情報を用いることにより、タイトルをキー入力することなくプログラム情報にタイトルを付与することができるので、プログラム情報にタイトルを付与する時間を短縮することができる。
【００１３】
上記第２の局面による記録再生装置において、好ましくは、タイトル付与手段は、プログラム情報に対して複数のタイトルを付与することが可能に構成されており、第１タイトル情報記録手段は、プログラム情報に付与された複数のタイトルにそれぞれ対応する複数の第１タイトル情報を作成するとともに、作成された複数の第１タイトル情報を、第１記録媒体、第２記録媒体、または、その他の記録媒体のいずれかの所定の領域に記録するように構成されている。このように構成すれば、プログラム情報の検索条件としての第１タイトル情報を増やすことができるので、プログラム情報をより容易に検索することができる。その結果、第１記録媒体に記録されているプログラム情報を第２記録媒体に記録する際に、プログラム情報の選択時間を容易に短縮することができるので、第２記録媒体へのプログラム情報の記録（ダビング）操作が煩雑になるのを抑制することができる。
【００１４】
この場合において、好ましくは、第２タイトル情報記録手段は、プログラム情報に付与された複数のタイトルにそれぞれ対応する複数の第２タイトル情報を作成するとともに、作成された複数の第２タイトル情報を、第１タイトル情報が記録される領域とは異なる領域に記録するように構成されている。このように構成すれば、タイトルの付与を支援するための第２タイトル情報の数を容易に増加させることができるので、プログラム情報に新たにタイトルを付与する際に、第２タイトル情報を用いることによって、プログラム情報にタイトルを付与する時間を容易に短縮することができる。
【発明の効果】
【００１５】
本発明の第１の局面による記録再生装置では、上記のように、プログラム情報にタイトルを付与するタイトル付与手段と、タイトル付与手段によってプログラム情報にタイトルが付与された際に、タイトルが付与されたプログラム情報に対応する第１タイトル情報を作成するとともに、作成された第１タイトル情報を第１記録媒体、第２記録媒体、または、その他の記録媒体のいずれかの所定の領域に記録する第１タイトル情報記録手段と、所定のプログラム情報を検索するために検索条件を受け付ける検索条件受付手段と、第１タイトル情報に基づいて、検索条件受付手段によって受け付けられた検索条件を満たすプログラム情報を特定するプログラム情報特定手段とを備えることによって、タイトルが付与されていないプログラム情報に対して、検索を可能にするためのタイトルを付与することができるとともに、第１タイトル情報に基づいて、検索条件受付手段およびプログラム情報特定手段により、検索条件を満たすプログラム情報を検索することができるので、第１記録媒体に多数のプログラム情報が記録されている場合でも、容易に、所定のプログラム情報を検索することができる。その結果、プログラム情報をソートするとともに、ソートされて表示された中から所定のプログラム情報を検索（選択）する場合に比べて、プログラム情報を検索する時間を短縮することができる。また、プログラム情報特定手段によって特定されたプログラム情報を選択するプログラム情報選択手段と、プログラム情報選択手段によって選択されたプログラム情報を、記録媒体に記録するプログラム情報記録手段とを備えることによって、第１記録媒体に記録されているプログラム情報を第２記録媒体に記録（ダビング）することができるとともに、記録（ダビング）時に、検索されたプログラム情報を選択することによって、プログラム情報の選択時間を短縮することができるので、第２記録媒体へのプログラム情報の記録（ダビング）操作が煩雑になるのを抑制することができる。その結果、記録（ダビング）操作の操作性を向上させることができる。
【００１６】
また、本発明の第１の局面では、第１タイトル情報が記録されている領域とは異なる領域に、文字情報からなる第２タイトル情報を記録する第２タイトル情報記録手段を備えるとともに、タイトル付与手段を、プログラム情報にタイトルを付与する際に、第２タイトル情報記録手段によって記録された第２タイトル情報を用いてタイトルの付与を支援するタイトル付与支援手段を含むように構成することによって、プログラム情報に新たにタイトルを付与する際に、文字情報からなる第２タイトル情報を用いることにより、タイトルをキー入力することなくプログラム情報にタイトルを付与することができるので、プログラム情報にタイトルを付与する時間を短縮することができる。また、タイトル付与手段を、プログラム情報に対して複数のタイトルを付与することが可能に構成するとともに、第１タイトル情報記録手段を、プログラム情報に付与された複数のタイトルにそれぞれ対応する複数の第１タイトル情報を作成し、作成した複数の第１タイトル情報を、第１記録媒体、第２記録媒体、または、その他の記録媒体のいずれかの所定の領域に記録するように構成することによって、プログラム情報の検索条件としての第１タイトル情報を増やすことができるので、プログラム情報をより容易に検索することができる。その結果、第１記録媒体に記録されているプログラム情報を第２記録媒体に記録する際に、プログラム情報の選択時間を容易に短縮することができるので、第２記録媒体へのプログラム情報の記録（ダビング）操作が煩雑になるのを抑制することができる。また、第２タイトル情報記録手段を、プログラム情報に付与された複数のタイトルにそれぞれ対応する複数の第２タイトル情報を作成するとともに、作成された複数の第２タイトル情報を、第１タイトル情報が記録される領域とは異なる領域に記録するように構成することによって、タイトルの付与を支援するための第２タイトル情報の数を容易に増加させることができるので、プログラム情報に新たにタイトルを付与する際に、第２タイトル情報を用いることによって、プログラム情報にタイトルを付与する時間を容易に短縮することができる。
【発明を実施するための最良の形態】
【００１７】
以下、本発明を具体化した実施形態を図面に基づいて説明する。なお、本実施形態では、記録再生装置の一例であるビデオレコーダに本発明を適用した場合について説明する。
【００１８】
図１は、本発明の一実施形態によるビデオレコーダの全体斜視図である。図２は、図１に示した本発明の一実施形態によるビデオレコーダのリモコン送信機の平面図である。図３は、図１に示した本発明の一実施形態によるビデオレコーダの構成を説明するためのブロック図である。まず、図１〜図３を参照して、本発明の一実施形態によるビデオレコーダ１の構造について説明する。
【００１９】
本実施形態によるビデオレコーダ１は、図１に示すように、番組コンテンツ（プログラム情報）を録画（記録）または再生するための録画再生部である、ＨＤＤ（Ｈａｒｄ  Ｄｉｓｋ  Ｄｅｖｉｃｅ）２、および、ＤＶＤ（Ｄｉｇｉｔａｌ  Ｖｅｒｓａｔｉｌｅ  Ｄｉｓｋ）ドライブ３を備えている。また、ビデオレコーダ１の正面には、図１に示すように、電源スイッチ５と、後述するリモコン送信機１０から送信される信号光を受光する信号受光部６と、外部光学記憶媒体であるＤＶＤメディア４をＤＶＤドライブ３に挿入するためのＤＶＤ挿入部３ａと、番組コンテンツの録画操作および再生操作をビデオレコーダ１側で行うための操作ボタン７と、ビデオレコーダ１の動作状態などを表示する表示部８とが設けられている。なお、ＨＤＤ２は、本発明の「第１記録部」の一例であり、ＤＶＤドライブ３は、本発明の「第２記録部」の一例である。また、番組コンテンツは、映像データ（映像情報）と、それに付随する音響データ（音声情報）とから構成されている。
【００２０】
また、ビデオレコーダ１には、ビデオレコーダ１に指令を送信するためのリモコン送信機１０が付属で備えられている。このリモコン送信機１０には、図２に示すように、電源ボタン１１と、外部モニタ４０（図３参照）の画面上にメニュー画面を表示させるためのメニューボタン１２と、テレビジョン放送の受信チャンネルなどを選択する複数の数字ボタン１３と、メニュー画面上で各種設定を行うための選択ボタン１４と、番組コンテンツの録画操作および再生操作の指令を行うための操作ボタン１５と、録画再生部を切り替えるための切替ボタン１６と、各ボタンに対応する指令を信号光（リモコン信号）としてビデオレコーダ１に発信するための発光部１７とが設けられている。
【００２１】
また、図３に示すように、ビデオレコーダ１の内部には、上記したＨＤＤ２、および、ＤＶＤドライブ３以外に、電源部２０、制御部２１、制御プログラム記憶部（ＲＯＭ：Ｒｅａｄ  Ｏｎｌｙ  Ｍｅｍｏｒｙ）２２、記録用メモリ２３、メモリ（ＲＡＭ：Ｒａｎｄｏｍ  Ａｃｃｅｓｓ  Ｍｅｍｏｒｙ）２４、チューナ部２５、エンコーダ部２６、デコーダ部２７、ＯＳＤ回路部２８、および、加算器２９が設けられている。また、ビデオレコーダ１の背面には、テレビジョン放送を受信するためのアンテナ５０とチューナ部２５とを接続するための接続端子（図示せず）と、コンテンツを再生するための外部モニタ４０が接続される外部出力端子３０（図３参照）とが設けられている。
【００２２】
また、図１に示す電源スイッチ５は、ユーザが押すことにより、電源部２０（図３参照）から各回路に電力が供給されるように構成されている。また、図１に示す信号受光部６は、リモコン送信機１０（図２参照）から送信される信号光を受光した後、受光した信号光を電気信号に変換して制御部２１（図３参照）に与える機能を有している。これにより、リモコン送信機１０（図２参照）の各ボタンに対応した指令に基づいて、制御部２１（図３参照）により、ビデオレコーダ１の各種動作が制御されるように構成されている。
【００２３】
また、図２に示すように、リモコン送信機１０の各ボタンは、ユーザが押し下げることによって、発光部１７から信号光を送信するように構成されている。また、リモコン送信機１０の電源ボタン１１は、ユーザが押し下げることによって、上記電源スイッチ５と同様に、電源部２０から各回路に電力が供給されるように構成されている。また、数字ボタン１３は、ユーザが押し下げることによって、テレビジョン放送のチャンネルを選択することが可能に構成されている。また、選択ボタン１４は、左右上下方向へのカーソル移動を指示する４つの矢印ボタン１４ａと、４つの矢印ボタン１４ａの中央部に設けられた決定ボタン１４ｂとから構成されており、外部モニタ４０の画面（映像表示部４０ａ）上に表示される各種設定画面上で、設定ボタンなどを矢印ボタン１４ａによって選択するとともに、選択した設定ボタンを決定ボタン１４ｂによって決定する機能を有している。また、切替ボタン１６は、ユーザが切替ボタン１６の１つを押し下げることにより、そのボタンに対応した録画再生部（ＨＤＤ２、または、ＤＶＤドライブ３）を、録画操作および再生操作が可能な状態に待機させるように構成されている。
【００２４】
また、図３に示すように、チューナ部２５は、アンテナ５０で受信された信号電波から、ユーザによって指定された１つのチャンネルの信号電波を選択し、アナログのテレビジョン信号に復調する機能を有している。また、エンコーダ部２６は、チューナ部２５で復調されたアナログのテレビジョン信号をデジタル信号に変換するとともに、変換されたデジタル信号を符号化して圧縮する機能を有している。また、ＨＤＤ２は、高速回転する磁気ディスク２ａ（図１および図３参照）を内部に有しており、この磁気ディスク２ａにエンコーダ部２６で変換されたデジタル圧縮信号を記録することによって、アンテナ５０で受信されたテレビジョン信号を番組コンテンツとしてデジタル録画することが可能に構成されている。
【００２５】
ここで、本実施形態では、ＨＤＤ２に設けられた磁気ディスク２ａには、番組コンテンツが記録される領域とは異なる領域に、後述するタイトルデータを記録しておくタイトルデータ記録領域２ｂと、タイトル入力を支援するための入力支援データを記録しておく入力支援データ記録領域２ｃとが設けられている。なお、入力支援データ記録領域２ｃは、タイトルデータ記録領域２ｂとは異なる領域に設けられている。
【００２６】
また、ＤＶＤドライブ３は、取り出し（着脱）可能なＤＶＤメディア４（図１参照）に、エンコーダ部２６で変換されたデジタル圧縮信号を記録することによって、アンテナ５０で受信されたテレビジョン信号を番組コンテンツとしてデジタル録画することが可能に構成されている。また、デコーダ部２７は、ＨＤＤ２およびＤＶＤドライブ３に記録されたデジタル圧縮信号を復元するとともに、復元されたデジタル信号をアナログ信号に変換する機能を有している。なお、磁気ディスク２ａは、本発明の「第１記録媒体」の一例であり、ＤＶＤメディア４は、本発明の「第２記録媒体」の一例である。
【００２７】
また、制御部２１は、ビデオレコーダ１の各種動作およびデータ処理に関する制御を行う機能を有しているとともに、現在時刻を計測するためのタイマー部２１ａを有している。また、制御部２１は、録画するコンテンツの日時および録画再生部を録画予約として記録用メモリ２３に登録するとともに、タイマー部２１ａによって、記録用メモリ２３に登録された録画予約の録画開始時刻（日時）をモニタし、録画予約の録画開始時刻（日時）に、録画予約に基づくチャンネルのテレビジョン信号を受信するようにチューナ部２５を制御するとともに、チューナ部２５で受信したテレビジョン信号を、ＨＤＤ２およびＤＶＤドライブ３の一方の録画再生部、または、両方の録画再生部に録画するように制御する機能を有している。
【００２８】
また、制御プログラム記憶部２２には、ビデオレコーダ１の各種動作を制御するための制御プログラムが記憶されており、この制御プログラムが制御部２１に読み込まれることによって、制御部２１による各種動作およびデータ処理に関する制御が行われる。
【００２９】
ここで、本実施形態では、制御部２１は、制御プログラムにより、録画された番組コンテンツにタイトルを付与するタイトル付与手段、タイトルデータをＨＤＤ２のタイトルデータ記録領域２ｂに記録するタイトルデータ記録手段、タイトルデータに基づいて番組コンテンツを検索する検索手段、検索された番組コンテンツを選択する選択手段、選択した番組コンテンツをダビング（記録）するダビング手段、番組コンテンツが削除された場合に、対応するタイトルデータを入力支援データとしてＨＤＤ２の入力支援データ記録領域２ｃに記録（移動）する入力支援データ記録手段、入力支援データを用いてタイトルの入力を支援する入力支援手段として機能するように構成されている。
【００３０】
具体的には、制御部２１は、ＨＤＤ２に録画された番組コンテンツの編集時などに、番組コンテンツにタイトルを付与する機能を有している。また、番組コンテンツにタイトルが付与された際に、付与されたタイトルと同じタイトル名を有するタイトルデータを作成するとともに、作成したタイトルデータをタイトルデータ記録領域２ｂに記録する機能を有している。また、ＨＤＤ２に録画された番組コンテンツを、ＤＶＤメディア４にダビングする場合に、タイトルデータに基づいて所望の番組コンテンツを検索する機能を有している。なお、検索機能以外に番組コンテンツをソート（並び替え）する機能も有している。また、検索された番組コンテンツを、ＤＶＤメディア４にダビングする番組コンテンツとして選択するとともに、選択した番組コンテンツを、ＤＶＤメディア４にダビングする機能を有している。また、ダビングした番組コンテンツをＨＤＤ２から削除した場合に、削除した番組コンテンツに対応するタイトルデータを、ＨＤＤ２の入力支援データ記録領域２ｃに移動するとともに、入力支援データを用いて、録画された番組コンテンツのタイトルの入力を支援する機能を有している。具体的には、入力支援データが入力候補タイトルとして一覧表示されるとともに、表示された入力候補タイトルをユーザが選択することによって、選択した入力候補タイトルと同じタイトルを表示する機能を有している。なお、制御部２１は、本発明の「タイトル付与手段」、「第１タイトル情報記録手段」、「検索条件受付手段」、「プログラム情報特定手段」、「プログラム情報選択手段」、「プログラム情報記録手段」、「第２タイトル情報記録手段」、および、「タイトル付与支援手段」の一例である。
【００３１】
また、本実施形態では、１つの番組コンテンツに対して複数のタイトルを付与することが可能に構成されている。具体的には、番組コンテンツには、メインタイトル（タイトル（１））以外に、サブタイトルとして、タイトル（２）、および、タイトル（３）を付与することが可能に構成されている。たとえば、番組コンテンツとして音楽番組を録画するとともに、音楽番組を歌手別、曲名別に編集し、それぞれ、異なる番組コンテンツとしてＨＤＤ２に記録している場合に、メインタイトルとしてタイトル（１）に番組名を付与し、サブタイトルとしてタイトル（２）に歌手名を付与し、さらに下位のサブタイトルとしてタイトル（３）に曲名を付与することが可能に構成されている。また、１つの番組コンテンツに対して複数のタイトルを付与した場合には、複数のタイトルにそれぞれ対応する複数のタイトルデータが、タイトルデータ記録領域２ｂに記録されるように構成されている。そして、タイトルデータは、対応する番組コンテンツとリンクするように構成されており、検索されたタイトルデータを選択することによって、対応する番組コンテンツを選択することが可能に構成されている。なお、番組コンテンツにタイトルを付与した場合でも、番組コンテンツとして記録されているファイル名は変更されないように構成されており、異なる番組コンテンツに対して、同一のタイトルを付与することが可能に構成されている。
【００３２】
また、本実施形態では、複数のタイトルが付与された番組コンテンツが削除された場合には、削除された番組コンテンツに対応する複数のタイトルデータが、入力支援データとして、入力支援データ記録領域２ｃに移動される。なお、この場合には、同一のタイトルを有する入力支援データが入力支援データ記録領域２ｃに既に存在する場合には、上書き記録されて、同一のタイトルを有する入力支援データが複数存在しないように構成されている。また、番組コンテンツの検索は、入力された検索条件と完全一致する場合の他、一部一致する場合にも検索可能に構成されている。
【００３３】
また、メモリ２４は、ＨＤＤ２の磁気ディスク２ａおよびＤＶＤドライブ３のＤＶＤメディア４が保持する各種データを一時的に記憶する機能を有している。また、メモリ２４は、制御部２１によって各種動作およびデータ処理が行われる際に、処理データおよびユーザからの指示命令などを一時的に記憶しておくためのバッファメモリとしての機能も有している。また、ＯＳＤ回路部２８は、制御部２１からの制御信号に基づいて、リモコン送信機１０の各ボタンの指示内容に対応した各種情報についてのＯＳＤ信号を生成する機能を有している。また、加算器２９は、デコーダ部２７から送信されたアナログ信号と、ＯＳＤ回路部２８によって生成されたＯＳＤ信号とを合成して、外部出力端子に送信する機能を有している。
【００３４】
また、外部モニタ４０は、映像表示部４０ａと、スピーカ部４０ｂとから構成されている。また、外部モニタ４０は、外部出力端子３０と接続することによって、ビデオレコーダ１に録画されたコンテンツを映像表示部４０ａに再生表示させる機能を有しているとともに、ＯＳＤ回路部２８からのＯＳＤ信号によって、映像表示部４０ａに各種設定画面を表示する機能を有している。
【００３５】
図４は、図１に示した一実施形態によるビデオレコーダの動作を説明するためのフローチャートである。図９および図１０は、図１に示した一実施形態によるビデオレコーダの設定画面を示した図である。次に、図４、図９および図１０を参照して、本実施形態によるビデオレコーダ１の動作について説明する。
【００３６】
まず、図４のステップＳ１において、制御部２１により、ビデオレコーダ１の電源スイッチ５またはリモコン送信機１０の電源ボタン１１がＯＮ状態であるか否かが判断される。ステップＳ１において、制御部２１により、電源スイッチ５または電源ボタン１１がＯＮ状態ではないと判断された場合には、ステップＳ１における電源スイッチ５または電源ボタン１１がＯＮ状態であるか否かの判断が繰り返される。一方、ステップＳ１において、制御部２１により、電源スイッチ５または電源ボタン１１がＯＮ状態であると判断された場合には、ステップＳ２において、制御部２１により、図９に示す「編集」ボタン６１がＯＮ状態であるか否かが判断される。なお「編集」ボタン６１は、外部モニタ４０のメニュー画面（図９参照）に表示される。また、リモコン送信機１０のメニューボタン１２を押し下げることによって、メニュー画面が外部モニタ４０に表示される。ステップＳ２において、制御部２１により、「編集」ボタン６１がＯＮ状態ではないと判断された場合には、ステップＳ３において、制御部２１により、メニュー画面の「タイトル付与」ボタン６２がＯＮ状態にされて、タイトルを付与する番組コンテンツが選択されたか否かが判断される。すなわち、番組コンテンツの編集を行うことなく、タイトル付与のみを行う場合には、タイトルを付与する番組コンテンツを選択する必要があり、ステップＳ３において、番組コンテンツが選択されているか否かが判断される。ステップＳ３において、制御部２１により、番組コンテンツが選択されていないと判断された場合には、ステップＳ２に戻り、制御部２１による「編集」ボタン６１がＯＮ状態であるか否かの判断が繰り返される。一方、ステップＳ３において、制御部２１により、番組コンテンツの選択がされていると判断された場合には、ステップＳ６へと進み、図１０に示すタイトル入力画面において、選択した番組コンテンツに対してタイトルが付与される。
【００３７】
一方、ステップＳ２において、制御部２１により、「編集」ボタン６１がＯＮ状態ではないと判断された場合には、ステップＳ４において、ユーザにより、番組コンテンツの分割編集または結合編集が行われ、ステップＳ５において、制御部２１により、番組コンテンツの編集作業が終了したか否かが判断される。ステップＳ５において、制御部２１により、番組コンテンツの編集作業が終了していないと判断された場合には、ステップＳ４に戻り、ステップＳ４およびＳ５の動作が繰り返される。一方、ステップＳ５において、制御部２１により、番組コンテンツの編集作業が終了していると判断された場合には、ステップＳ６へと進み、図１０に示すタイトル入力画面において、編集された番組コンテンツに対してタイトルが付与される。
【００３８】
ステップＳ６では、入力支援ルーチンが実行され、番組コンテンツにタイトルを付与する際に、制御部２１により、付与するタイトルの入力操作が支援されるとともに、ユーザにより、番組コンテンツに付与するタイトルの入力が行われる。次に、ステップＳ７において、制御部２１により、番組コンテンツに付与するメインタイトルとして、タイトル（１）の入力が終了したか否かが判断される。ステップＳ７において、制御部２１により、タイトル（１）の入力が終了していないと判断された場合には、ステップＳ６に戻り、ステップＳ６およびＳ７の動作が繰り返される。一方、ステップＳ７において、制御部２１により、タイトル（１）の入力が終了していると判断された場合、具体的には、制御部２１により、図１０に示すタイトル入力画面の「決定」ボタン７１がＯＮ状態であると判断された場合には、ステップＳ８へと進む。
【００３９】
次に、ステップＳ８において、制御部２１により、図１０に示すタイトル入力画面の「終了」ボタン７２がＯＮ状態であるか否かが判断される。ステップＳ８において、制御部２１により、「終了」ボタン７２がＯＮ状態であると判断された場合には、ステップＳ９において、制御部２１により、入力されたタイトル（１）がメインタイトルとして番組コンテンツに付与されるとともに、付与されたタイトル（１）と同じタイトルを有するタイトルデータが作成され、作成されたタイトルデータがＨＤＤ２のタイトルデータ記録領域２ｂに記録される。
【００４０】
一方、ステップＳ８において、制御部２１により、「終了」ボタン７２がＯＮ状態でないと判断された場合には、タイトル（２）へのサブタイトル入力動作に移行される。そして、ステップＳ１０において、ステップＳ６の入力支援ルーチンと同じルーチンが実行されて、番組コンテンツに付与するサブタイトルの入力が行われる。次に、ステップＳ１１において、制御部２１により、番組コンテンツに付与するサブタイトルとして、タイトル（２）の入力が終了したか否かが判断される。ステップＳ１１において、制御部２１により、タイトル（２）の入力が終了していないと判断された場合には、ステップＳ１０に戻り、ステップＳ１０およびＳ１１の動作が繰り返される。一方、ステップＳ１１において、制御部２１により、タイトル（２）の入力が終了していると判断された場合には、ステップＳ１２において、制御部２１により、タイトル入力画面の「終了」ボタン７２がＯＮ状態であるか否かが判断される。ステップＳ１２において、制御部２１により、「終了」ボタン７２がＯＮ状態であると判断された場合には、ステップＳ９において、制御部２１により、入力されたタイトル（１）およびタイトル（２）がメインタイトルおよびサブタイトルとして番組コンテンツに付与されるとともに、付与されたタイトル（１）およびタイトル（２）と同じタイトルを有するタイトルデータがそれぞれ作成され、作成されたタイトルデータがＨＤＤ２のタイトルデータ記録領域２ｂに記録される。
【００４１】
一方、ステップＳ１２において、制御部２１により、「終了」ボタン７２がＯＮ状態でないと判断された場合には、引き続き、タイトル（３）へのサブタイトル入力動作に移行される。そして、ステップＳ１３において、ステップＳ６およびＳ１０の入力支援ルーチンと同じルーチンが実行され、番組コンテンツに付与するサブタイトルの入力が行われる。次に、ステップＳ１４において、制御部２１により、番組コンテンツに付与するサブタイトルとして、タイトル（３）の入力が終了したか否かが判断される。ステップＳ１４において、制御部２１により、タイトル（３）の入力が終了していないと判断された場合には、ステップＳ１３に戻り、ステップＳ１３およびＳ１４の動作が繰り返される。一方、ステップＳ１４において、制御部２１により、タイトル（３）の入力が終了していると判断された場合には、ステップＳ９において、制御部２１により、入力されたタイトル（１）、タイトル（２）およびタイトル（３）がメインタイトル、サブタイトル、およびさらに下位のサブタイトルとして、それぞれ番組コンテンツに付与されるとともに、付与されたタイトル（１）、タイトル（２）およびタイトル（３）と同じタイトルをそれぞれ有するタイトルデータが作成され、作成されたタイトルデータがＨＤＤ２のタイトルデータ記録領域２ｂに記録される。なお、タイトルデータがＨＤＤ２のタイトルデータ記録領域２ｂに記録されることによって、番組コンテンツを検索する際のタイトルデータベース（検索データベース）が作成される。
【００４２】
そして、ステップＳ１５において、制御部２１により、ダビング処理ルーチンが行われる。その後、ステップＳ１６において、制御部２１により、ビデオレコーダ１の電源スイッチ５またはリモコン送信機１０の電源ボタン１１がＯＦＦ状態であるか否かが判断される。ステップＳ１６において、制御部２１により、電源スイッチ５または電源ボタン１１がＯＦＦ状態ではないと判断された場合には、ステップＳ１６における電源スイッチ５または電源ボタン１１がＯＦＦ状態であるか否かの判断が繰り返される。一方、ステップＳ１６において、制御部２１により、電源スイッチ５または電源ボタン１１がＯＦＦ状態であると判断された場合には、ビデオレコーダ１の動作が終了する。
【００４３】
図５および図６は、図４に示した一実施形態によるステップＳ１５のダビング処理ルーチンの動作について説明するためのフローチャートである。図１１および図１２は、図１に示した一実施形態によるビデオレコーダの設定画面を示した図である。次に、図５、図６、図９、図１１および図１２を参照して、図４のステップＳ１５のダビング処理ルーチンの動作について説明する。
【００４４】
まず、図５のステップＳ２１において、制御部２１により、メニュー画面の「ダビング」ボタン６３（図９参照）がＯＮ状態であるか否かが判断される。ステップＳ２１において、制御部２１により、「ダビング」ボタン６３がＯＮ状態ではないと判断された場合には、ステップＳ２１における「ダビング」ボタン６３がＯＮ状態であるか否かの判断が繰り返される。一方、ステップＳ２１において、制御部２１により、「ダビング」ボタン６３がＯＮ状態であると判断された場合には、ステップＳ２２において、制御部２１により、図１１に示すダビング画面が外部モニタ４０に表示されるとともに、ダビング画面の「ソート」ボタン８１がＯＮ状態であるか否かの判断が行われる。ステップＳ２２において、制御部２１により、「ソート」ボタン８１がＯＮ状態であると判断された場合には、ステップＳ２３において、制御部２１により、ＨＤＤ２に録画されている番組コンテンツが、日付順、または、チャンネル順に並び替えられて一覧表示される。そして、ステップＳ２８へと進む。
【００４５】
一方、ステップＳ２２において、制御部２１により、「ソート」ボタン８１がＯＮ状態ではないと判断された場合には、ステップＳ２４において、制御部２１により、ダビング画面の「検索」ボタン８２がＯＮ状態であるか否かが判断される。ステップＳ２４において、制御部２１により、「検索」ボタン８２がＯＮ状態ではないと判断された場合には、ステップＳ２２に戻り、ステップＳ２２〜Ｓ２４の動作が繰り返される。一方、ステップＳ２４において、制御部２１により、「検索」ボタン８２がＯＮ状態であると判断された場合には、外部モニタ４０の画面に図１２に示すような検索画面が表示され、検索画面のキーワード入力欄９１にキーワード（検索条件）を入力することによって、キーワード検索を実行することが可能となる。そして、ステップＳ２５において、制御部２１により、キーワードの入力が終了したか否かが判断される。ステップＳ２５において、制御部２１により、キーワードの入力が終了していないと判断された場合には、ステップＳ２５におけるキーワードが入力されたか否かの判断が繰り返される。一方、ステップＳ２５において、制御部２１により、キーワードの入力が終了していると判断された場合には、ステップＳ２６へと進む。なお、キーワード入力が終了したか否かの判断は、検索画面の「決定」ボタン９２がＯＮ状態であるか否かを判断することによって行われる。また、キーワードの入力は、検索画面の入力文字選択欄９３において、ユーザが文字を選択することによって行われる。また、入力文字選択欄９３には、説明の都合上、アルファベットのみを表示している。しかしながら、本実施形態では、入力文字選択欄９３には、ひらがな、カタカナ、記号、および、漢字変換などを表示して、アルファベット以外の文字をキーワードとして入力することも可能である。
【００４６】
次に、ステップＳ２６において、制御部２１により、検索画面の「検索開始」ボタン９４がＯＮ状態であるか否かが判断される。ステップＳ２６において、制御部２１により、「検索開始」ボタン９４がＯＮ状態ではないと判断された場合には、ステップＳ２６における「検索開始」ボタン９４がＯＮ状態であるか否かの判断が繰り返される。一方、ステップＳ２６において、制御部２１により、「検索開始」ボタン９４がＯＮ状態であると判断された場合には、ステップＳ２７において、制御部２１により、ＨＤＤ２のタイトルデータ記録領域２ｂに記録されたタイトルデータに基づいて、キーワード（検索条件）に合致するタイトルを有するタイトルデータが検索されるとともに、検索されたタイトルデータのタイトルが検索結果として表示される。なお、検索は、ＡＮＤ検索、ＯＲ検索などの一般的な検索が可能であるとともに、完全一致、または、一部一致によっても検索することが可能である。
【００４７】
続いて、ステップＳ２８において、制御部２１により、表示されたタイトルが選択されたか否かが判断される。ステップＳ２８において、制御部２１により、タイトルが選択されていないと判断された場合には、ステップＳ２８におけるタイトルが選択されたか否かの判断が繰り返される。一方、ステップＳ２８において、制御部２１により、タイトルが選択されたと判断された場合には、図６のステップＳ２９において、選択されたタイトルに対応する番組コンテンツが、ＤＶＤメディア４にダビング可能か否かが判断される。すなわち、ＤＶＤメディア４の記録容量が、番組コンテンツを記録することが可能な記録容量を有しているか否かが判断される。ステップＳ２９において、制御部２１により、選択されたタイトルに対応する番組コンテンツがＤＶＤメディア４にダビングすることが可能でないと判断された場合には、ステップＳ３０において、制御部２１により、ダビングする番組コンテンツの選択が修正されたか否かが判断される。すなわち、タイトルの選択は、複数選択することが可能であるので、選択したタイトルに対応する番組コンテンツの容量がＤＶＤメディア４の記録容量を超えている場合でも、ダビングする番組コンテンツの数を減らすことによって、ＤＶＤメディア４にダビングすることが可能となる場合がある。このため、ステップＳ３０において、ダビングする番組コンテンツの数が減らされているか否かが判断される。ステップＳ３０において、制御部２１により、選択が修正されていないと判断された場合には、ステップＳ３０におけるダビングする番組コンテンツの選択が修正されたか否かの判断が繰り返される。一方、ステップＳ３０において、制御部２１により、ダビングする番組コンテンツの選択が修正されたと判断された場合には、ステップＳ２９に戻り、制御部２１により、再度、ＤＶＤメディア４にダビング可能か否かが判断される。
【００４８】
また、ステップＳ２９において、制御部２１により、選択されたタイトルに対応する番組コンテンツがＤＶＤメディア４にダビング可能であると判断された場合には、ステップＳ３１において、制御部２１により、ダビング画面の「ダビング開始」ボタン８３がＯＮ状態であるか否かが判断される。ステップＳ３１において、制御部２１により、「ダビング開始」ボタン８３がＯＮ状態ではないと判断された場合には、ステップＳ３１における「ダビング開始」ボタン８３がＯＮ状態であるか否かの判断が繰り返される。一方、ステップＳ３１において、制御部２１により、「ダビング開始」ボタン８３がＯＮ状態であると判断された場合には、ステップＳ３２において、制御部２１により、ダビングが実行される。
【００４９】
そして、ステップＳ３３において、制御部２１により、ダビングが終了したか否かが判断される。ステップＳ３３において、制御部２１により、ダビングが終了していないと判断された場合には、ステップＳ３３におけるダビングが終了したか否かの判断が繰り返される。一方、ステップＳ３３において、制御部２１により、ダビングが終了したと判断された場合には、ビデオレコーダ１のダビング動作が終了する。
【００５０】
図７は、図４に示した一実施形態によるステップＳ６、Ｓ１０およびＳ１３の入力支援ルーチンの動作について説明するためのフローチャートである。次に、図７および図１０を参照して、図４のステップＳ６、Ｓ１０およびＳ１３の入力支援ルーチンの動作について説明する。なお、図７では、タイトル（１）への入力動作についてのみ説明する。
【００５１】
まず、図７のステップＳ４１において、制御部２１により、ＨＤＤ２の入力支援データ記録領域２ｃに記録されている入力支援データが入力候補タイトルとして、図１０に示すタイトル入力画面に一覧表示される。次に、ステップＳ４２において、制御部２１により、一覧表示された入力候補タイトルが選択されていないか否かが判断される。ステップＳ４２において、制御部２１により、入力候補タイトルが選択されていると判断された場合には、選択された入力候補タイトルと同じタイトルがタイトル（１）に入力された後、ステップＳ４５へと進む。
【００５２】
一方、ステップＳ４２において、制御部２１により、入力候補タイトルが選択されていないと判断された場合、具体的には、図１０に示すタイトル入力画面の入力文字選択欄７３で、ユーザがタイトルの文字を選択した場合には、制御部２１により、選択した文字（たとえば、「ｂ」）が、タイトル入力画面のタイトル（１）に表示される。そして、ステップＳ４４において、制御部２１により、たとえば、入力候補タイトルとして、「ｂ」で始まる入力候補タイトルのみが表示され、入力候補タイトルが絞り込まれる。なお、タイトル入力画面の入力文字選択欄７３には、説明の都合上、アルファベットのみを表示している。しかしながら、本実施形態では、入力文字選択欄７３には、ひらがな、カタカナ、記号、および、漢字変換などを表示して、アルファベット以外の文字をタイトルとして入力することも可能である。
【００５３】
次に、ステップＳ４５において、制御部２１により、タイトル入力が終了したか否かが判断される。具体的には、タイトル入力画面の「決定」ボタン７１がＯＮ状態であるか否かが判断される。ステップＳ４５において、制御部２１により、タイトル入力が終了したと判断された場合には、タイトルの入力動作が終了する。一方、ステップＳ４５において、制御部２１により、タイトル入力が終了していないと判断された場合には、タイトル入力の動作が継続される。なお、表示された入力候補タイトルを選択すると、選択した入力候補タイトルと同じタイトルがタイトル（１）に入力される。また、入力候補タイトルを選択した後、文字を追加および削除することが可能である。
【００５４】
そして、ステップＳ４６において、ユーザにより、次の文字が追加入力されると、ステップＳ４７において、制御部２１により、入力された文字列で始まる入力候補タイトルのみが表示され、さらに入力候補タイトルが絞り込まれる。これにより、表示されている入力候補タイトル中に、入力しようとするタイトルが存在するか否かを容易に確認することが可能となる。そして、入力候補タイトルを選択した場合には、選択した入力候補タイトルと同じタイトル（文字列）を追加入力される。
【００５５】
その後、ステップＳ４８において、制御部２１により、タイトル入力が終了したか否かが判断される。具体的には、ステップＳ４５と同様に、図１０に示すタイトル入力画面の「決定」ボタン７１がＯＮ状態であるか否かが判断される。ステップＳ４８において、制御部２１により、タイトル入力が終了していないと判断された場合には、ステップＳ４６に戻り、ステップＳ４６〜Ｓ４８の動作が繰り返される。一方、ステップＳ４８において、制御部２１により、タイトル入力が終了したと判断された場合には、タイトルの入力動作が終了する。
【００５６】
図８は、図１に示した一実施形態によるビデオレコーダの入力支援データの蓄積動作について説明するためのフローチャートである。図１３は、図１に示した一実施形態によるビデオレコーダの設定画面を示した図である。次に、図８、図９および図１３を参照して、本実施形態によるビデオレコーダ１の入力支援データの蓄積動作について説明する。
【００５７】
まず、図８のステップＳ５１において、制御部２１により、メニュー画面（図９参照）の「編集」ボタン６１がＯＮ状態であるか否かが判断される。ステップＳ５１において、制御部２１により、「編集」ボタン６１がＯＮ状態ではないと判断された場合には、ステップＳ５１における「編集」ボタン６１がＯＮ状態であるか否かの判断が繰り返される。一方、ステップＳ５１において、制御部２１により、「編集」ボタン６１がＯＮ状態であると判断された場合には、外部モニタ４０の画面に図１３に示す編集画面が表示され、ステップＳ５２において、ユーザにより、ＨＤＤ２から削除する番組コンテンツが選択される。そして、ステップＳ５３において、制御部２１により、編集画面の「削除」ボタン１０５がＯＮ状態であるか否かが判断される。ステップＳ５３において、制御部２１により、「削除」ボタン１０５がＯＮ状態ではないと判断された場合には、ステップＳ５３における「削除」ボタン１０５がＯＮ状態であるか否かの判断が繰り返される。一方、ステップＳ５３において、制御部２１により、「削除」ボタン１０５がＯＮ状態であると判断された場合には、ステップＳ５４において、制御部２１により、選択された番組コンテンツがＨＤＤ２（磁気ディスク２ａ）から削除される。そして、ステップＳ５５において、制御部２１により、削除された番組コンテンツに対応するタイトルデータが、ＨＤＤ２のタイトルデータ記録領域２ｂから入力支援データ記録領域２ｃに移動されるとともに、入力支援データが入力支援データ記録領域２ｃに蓄積されて、入力候補タイトルとして用いられる。これにより、入力支援データの蓄積動作が終了する。
【００５８】
本実施形態では、上記のように、制御部２１を、番組コンテンツにタイトルを付与することが可能に構成し、タイトルが付与された番組コンテンツに対応するタイトルデータを作成するとともに、作成したタイトルデータをＨＤＤ２のタイトルデータ記録領域２ｂに記録し、かつ、キーワードの入力を受け付けるとともに、キーワードを満たすタイトルデータに対応する番組コンテンツを特定するように構成することによって、タイトルが付与されていない番組コンテンツに対して、検索を可能にするためのタイトルを付与することができるとともに、タイトルデータに基づいて、キーワード（検索条件）検索を実行することができるので、ＨＤＤ２に多数の番組コンテンツが録画されている場合でも、容易に、所望の番組コンテンツを検索することができる。その結果、番組コンテンツをソートするとともに、ソートされて表示された中から所望の番組コンテンツを検索（選択）する場合に比べて、番組コンテンツを検索する時間を短縮することができる。
【００５９】
また、本実施形態では、制御部２１を、検索された番組コンテンツを選択可能に構成するとともに、選択された番組コンテンツを、ＤＶＤメディア４にダビング可能に構成することによって、ＨＤＤ２に録画されている番組コンテンツをＤＶＤメディア４にダビングすることができるとともに、ダビング時に、検索された番組コンテンツを選択することによって、番組コンテンツの選択時間を短縮することができるので、ＤＶＤメディア４への番組コンテンツのダビング操作が煩雑になるのを抑制することができる。その結果、ダビング操作の操作性を向上させることができる。
【００６０】
また、本実施形態では、制御部２１を、ＨＤＤ２のタイトルデータ記録領域２ｂとは異なる領域である入力支援データ記録領域２ｃに、タイトルの入力を支援する入力支援データを記録するように構成するとともに、番組コンテンツにタイトルを付与する際に、入力支援データ（入力候補タイトル）を用いてタイトルの入力を支援するように構成することによって、番組コンテンツに新たにタイトルを付与する際に、入力候補タイトル（入力支援データ）を選択した場合には、タイトルをキー入力することなく番組コンテンツにタイトルを付与することができるので、入力候補タイトルの選択により番組コンテンツにタイトルを付与する時間を短縮することができる。
【００６１】
また、本実施形態では、制御部２１を、番組コンテンツに対して複数のタイトルを付与することが可能に構成するとともに、番組コンテンツに付与された複数のタイトルにそれぞれ対応する複数のタイトルデータを作成し、かつ、作成した複数のタイトルデータをＨＤＤ２のタイトルデータ記録領域２ｂに記録するように構成することによって、番組コンテンツの検索条件としてのタイトルデータを増やすことができるので、番組コンテンツをより容易に検索することができる。その結果、ＨＤＤ２に録画されている番組コンテンツをＤＶＤメディア４にダビングする際に、番組コンテンツの選択時間を容易に短縮することができるので、ＤＶＤメディア４への番組コンテンツのダビング操作が煩雑になるのを抑制することができる。
【００６２】
また、本実施形態では、制御部２１を、番組コンテンツに付与された複数のタイトルに対応する複数の入力支援データを作成するとともに、作成した複数の入力支援データを入力支援データ記録領域２ｃに記録するように構成することによって、タイトルの付与を支援するための入力支援データの数を増加させることができるので、番組コンテンツに新たにタイトルを付与する際に、増加された入力支援データによって、番組コンテンツにタイトルを付与する時間を有効に短縮することができる。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
たとえば、上記実施形態では、本発明をビデオレコーダに適用した例を示したが、本発明はこれに限らず、ビデオレコーダ以外の記録再生装置に本発明を適用してもよい。たとえば、パーソナルコンピュータ、ビデオテープレコーダ、デジタルビデオカメラなどに、本発明を適用してもよい。
【００６５】
また、上記実施形態では、番組コンテンツを録画および再生する録画再生部として、ＨＤＤ、および、ＤＶＤドライブ（ＤＶＤメディア）を用いた例を示したが、本発明はこれに限らず、番組コンテンツを録画および再生する録画再生部は、ＨＤＤ、および、ＤＶＤドライブ以外の録画再生部であってもよい。ＨＤＤ、および、ＤＶＤドライブ（ＤＶＤメディア）以外の録画再生部としては、たとえば、記録用メモリカードなどが考えられる。
【００６６】
また、上記実施形態では、ＨＤＤに録画された番組コンテンツをＤＶＤレコーダ（ＤＶＤメディア）にダビングする例を示したが、本発明はこれに限らず、ＤＶＤメディアに録画されている番組コンテンツをＨＤＤにダビングするようにしてもよい。
【００６７】
また、上記実施形態では、タイトルデータおよび入力支援データを、それぞれ、ＨＤＤに記録するように構成した例を示したが、本発明はこれに限らず、タイトルデータおよび入力支援データは、ＨＤＤ以外の記録領域にそれぞれ記録するように構成してもよい。ＨＤＤ以外の記録領域としては、たとえば、ＤＶＤメディア、メモリカードなどが考えられる。
【００６８】
また、上記実施形態では、映像データ（映像情報）と、それに付随する音響データ（音声情報）とから構成される番組コンテンツを用いた例を示したが、本発明はこれに限らず、音楽データおよび音声データなどを用いるようにしてもよい。
【００６９】
また、上記実施形態では、番組コンテンツに３つのタイトル（タイトル（１）、タイトル（２）、タイトル（３））を付与することが可能に構成した例を示したが、本発明はこれに限らず、番組コンテンツの数は３つ以外であってもよい。また、番組タイトルの数は、ユーザによって、任意に増減可能に構成してもよい。
【００７０】
また、上記実施形態では、削除された番組コンテンツに対応するタイトルデータを入力支援データ記録領域に移動させることによって、入力候補タイトルとして用いる入力支援データを作成可能に構成した例を示したが、本発明はこれに限らず、タイトルデータ記録領域に記録されているタイトルデータを入力支援データ記録領域に複製することによって、入力支援データを作成可能に構成してもよい。また、予め辞書データを登録させておくことによって、登録された辞書データを入力支援データとして用いるようにしてもよい。さらに、これらを組み合わせて用いるようにしてもよい。
【００７１】
また、上記実施形態では、アナログのテレビジョン電波信号が受信可能なチューナ部を用いた例を示したが、本発明はこれに限らず、デジタルのテレビジョン電波信号を受信可能なデジタルチューナ部を用いるようにしてもよい。
【図面の簡単な説明】
【００７２】
【図１】本発明の一実施形態によるビデオレコーダの全体斜視図である。
【図２】図１に示した本発明の一実施形態によるビデオレコーダのリモコン送信機の平面図である。
【図３】図１に示した本発明の一実施形態によるビデオレコーダの構成を説明するためのブロック図である。
【図４】図１に示した一実施形態によるビデオレコーダの動作を説明するためのフローチャートである。
【図５】図４に示した一実施形態によるステップＳ１５のダビング処理ルーチンの動作について説明するためのフローチャートである。
【図６】図４に示した一実施形態によるステップＳ１５のダビング処理ルーチンの動作について説明するためのフローチャートである。
【図７】図４に示した一実施形態によるステップＳ６、Ｓ１０およびＳ１３の入力支援ルーチンの動作について説明するためのフローチャートである。
【図８】図１に示した一実施形態によるビデオレコーダの入力支援データの蓄積動作について説明するためのフローチャートである。
【図９】図１に示した一実施形態によるビデオレコーダの設定画面を示した図である。
【図１０】図１に示した一実施形態によるビデオレコーダの設定画面を示した図である。
【図１１】図１に示した一実施形態によるビデオレコーダの設定画面を示した図である。
【図１２】図１に示した一実施形態によるビデオレコーダの設定画面を示した図である。
【図１３】図１に示した一実施形態によるビデオレコーダの設定画面を示した図である。
【符号の説明】
【００７３】
１          ビデオレコーダ
２          ＨＤＤ（第１記録部）
２ａ        磁気ディスク（第１記録媒体）
２ｂ        タイトルデータ記録領域
２ｃ        入力支援データ記録領域
３          ＤＶＤドライブ（第２記録部）
４          ＤＶＤメディア（第２記録媒体）
１０        リモコン送信機
１２        メニューボタン
２１        制御部（タイトル付与手段、第１タイトル情報記録手段、
検索条件受付手段、プログラム情報特定手段、
プログラム情報選択手段、プログラム情報記録手段、
第２タイトル情報記録手段、タイトル付与支援手段）
２２        制御プログラム記憶部
２３        記録用メモリ
２４        メモリ
２５        チューナ部
２６        エンコーダ部
２７        デコーダ部
２８        ＯＳＤ回路部
２９        加算器
４０        外部モニタ
４０ａ      映像表示部
４０ｂ      スピーカ部
５０        アンテナ
【図１】
2007323742.tif 000003
【図２】
2007323742.tif 000004
【図３】
2007323742.tif 000005
【図４】
2007323742.tif 000006
【図５】
2007323742.tif 000007
【図６】
2007323742.tif 000008
【図７】
2007323742.tif 000009
【図８】
2007323742.tif 000010
【図９】
2007323742.tif 000011
【図１０】
2007323742.tif 000012
【図１１】
2007323742.tif 000013
【図１２】
2007323742.tif 000014
【図１３】
2007323742.tif 000015